(57)【要約】【課題】本発明は、安価で簡易な構成により、管理機による作業効率を向上させることを目的とする。【解決手段】推進機体（１０）の前方または後方に２基以上のロータリー部（４）を左右に並べて配置し、これらのロータリー部（４）を連結フレーム（２０）に一体的に連結する。この連結フレーム（２０）は、推進機体の中心で軸心が前後方向に沿った取付け軸（１８）に連結して、これにより取付け軸を支点に、ロータリー部を推進機体に対し上下動自在に連結する。この連結フレームには軸心が左右方向に沿った中間軸（２５）を取付け、中間軸に備える受動プーリ（２６）を取付け軸の上方に位置させると共に、この受動プーリと推進機体側に備える駆動プーリ（１７）との間にベルト（２７）を掛け渡し、推進機体に搭載したエンジン（１２）の動力を前記ベルトにより中間軸を経てロータリー部に伝動する。【選択図】図１
2008306984.tif 000002
【特許請求の範囲】
【請求項１】
推進機体の前方または後方に２基以上のロータリー部を左右に並べて配置し、
これらのロータリー部を一体的に連結する連結フレームを、推進機体の中心で軸心が前後方向に沿った取付け軸に旋回自在に軸支し、これにより取付け軸を支点に、ロータリー部を推進機体に対し上下動自在に連結し、
そして軸心が左右方向に沿った中間軸を前記連結フレームに取付け、中間軸に備える受動プーリを前記取付け軸の上方に位置させると共に、推進機体側に備える駆動プーリと受動プーリの間にベルトを掛け渡し、推進機体に搭載したエンジンの動力を前記ベルトにより中間軸を経てロータリー部に伝動することを特徴とする管理機。
【請求項２】
前記連結フレームの旋回角度を規制するストッパを設けたことを特徴とする請求項１記載の管理機。
【請求項３】
前記中間軸にスプライン結合したベベルギアを介して中間軸と直交する伝動軸に伝動し、伝動軸の先端に連結したロータリー部を駆動すると共に、前記中間軸に沿って前記ベベルギアを移動してロータリー部の取付け位置を左右に調節可能に構成したことを特徴とする請求項１記載の管理機。
【発明の詳細な説明】
【技術分野】
【０００１】
本発明は、進行方向と直交する方向に複数の耕耘作業部を並べた管理機に関する。
【背景技術】
【０００２】
管理機は、進行方向と直交する耕耘軸に耕耘爪を取り付けたロータリー部を備えている。このロータリー部で畝間を耕耘することにより、土壌の通気性や排水性を向上して雑草を防除する中耕除草作業や、畝溝の土を畝側に寄せて立毛する作物の根本に土をかける土寄せ作業、また、ロータリー部の後方に培土板を取り付けて、耕耘爪により膨軟にした土壌を培土板によって左右に寄せて畝を形成する畝立て作業などの各種の作業を行うことができる。このように各種の作業を行うことができることから、管理機は頻繁に使用されている。
【０００３】
従来の管理機は、畝間を進行すると共に、当該畝間の土作業を行うものだったため、作業の効率性に限界があった。作業効率を向上するためにロータリー部の数を増やしたとしても、各ロータリー部が進行する畝溝の深さの違いに対応できず、左右の畝溝の深さが異なると一方のロータリー部が浮いてしまうという問題があった。
【０００４】
ロータリー部が浮いてしまうと、中耕除草作業では充分な除草効果が得られないという不都合が生じ、土寄せ作業においては確実に土寄せすることができず作物に充分に土がかからないという不都合が生じ、また、畝立て作業では土壌を充分に耕耘できず所望の畝を形成できないという不都合が生じる。
【０００５】
さらに、それぞれのロータリー部に高さ位置の制御機構を取り付けるとなると、構造が複雑となって故障などの不具合等のリスクが増加するうえに、コスト高となって充分な競争力が得られない。
【発明の開示】
【発明が解決しようとする課題】
【０００６】
本発明は、安価で簡易な構成により、管理機による作業効率を向上させることを目的とする。
【課題を解決するための手段】
【０００７】
上記課題を解決するために、本発明は、２基以上のロータリー部を左右に並べて連結フレームに一体的に連結し、この連結フレームを、推進機体の中心で軸心が前後方向に沿った取付け軸に連結すると共に、左右方向に沿った中間軸に備える受動プーリを取付け軸の上方に位置させ、推進機体に備える駆動プーリと受動プーリとの間にベルトを架け渡して、ベルトと中間軸を介してロータリー部を駆動することを最も主要な特徴とする。
【発明の効果】
【０００８】
本発明によれば、左右に設けたロータリー部が進行する畝溝の深さが異なっていても、耕耘作業部が取付け軸に揺動自在に支持されて、この取付け軸の回りにローリングすることで、左右のロータリー部が畝溝の深さによって自在に上下動し、確実に耕耘して所望の作業効果を得ることができる。
【発明を実施するための最良の形態】
【０００９】
以下、本発明に係る管理機について、図１乃至図５を参照して説明する。図１は、本発明に係る管理機の側面視構成図である。
【００１０】
管理機１は、畝間を進行する推進機体１０の前方に耕耘作業部２を連結してなる。推進機体１０は、車体ケース１１にエンジン１２を搭載し、操向用のハンドル１３と、畝間を転動する左右の車輪１４、１４とを有している。
【００１１】
車体ケース１１は、破線で示した前側部分と実線で示した後側部分とからなる。この前側部分は後側部分とは別体に構成されており、図１においては、当該前側部分を取り外した状態を示している。車輪１４は、左右の車輪１４、１４の間隔と車体ケース１１の高さとをそれぞれ調節するための調節具１５を介して車体ケース１１に取り付けられている。
【００１２】
推進機体１０には不図示のトランスミッションが設けられ、このトランスミッションを介してりエンジン１２の動力を車輪１４、１４や、車体ケース１１内に配置された回転軸１６に伝達する。回転軸１６には駆動プーリ１７を取り付ける。この駆動プーリ１７は、推進機体１０の左右方向略中央に配置する。また、駆動プーリ１７の下方に、車体ケース１１から前後方向に伸びる取付け軸１８を突設している。
【００１３】
この取付け軸１８に耕耘作業部２の連結フレーム２０を取り付ける。連結フレーム２０は、図２に示すごとく、中央の筒部２１と左右に張り出した台部２２、２２とにより構成されている。車体ケース１１の前側部分は、この連結フレーム２０に着脱自在に取り付けられる。図２は、連結フレームと推進機体との連結部を示す平面視構成図である。
【００１４】
筒部２１に取付け軸１８が挿通されて、連結フレーム２０が取付け軸１８の回りに旋回自在に軸支され、耕耘作業部２がローリング可能となる。筒部２１に挿通した取付け軸１８の、連結フレーム２０を貫通した先端には、抜止め棒１９が取り付けられる。
【００１５】
また、推進機体１０には、連結フレーム２０の旋回角度を規制するストッパ３を設けている。本実施形態のストッパ３はボルト状で、車体ケース１１に設けられた縦向きのねじ穴（特に図示しない）に螺合されており、ストッパ３を螺回することにより連結フレーム２０のローリングの傾きを調節可能に構成されている。
【００１６】
本実施形態においてはストッパ３は連結フレーム２０の上方に設けているが、ストッパ３を連結フレーム２０の下方に設けて、連結フレーム２０の旋回角度を規制する構成としてもよい。または、ストッパを連結フレーム２０に設け、このストッパを車体ケース１１に当接させることで、連結フレーム２０のローリングの傾きを調節するように構成してもよい。
【００１７】
連結フレーム２０の台部２２、２２には、ベアリングを備える軸支体２３及び固定具２４を設置する。軸支体２３は台部２２、２２に固着する。また、台部２２には複数のボルト孔２２０、２２０、・・・を形成し、このボルト孔２２０とボルト２２１によって固定具２４を台部２２に固定する。固定具２４は、ボルト孔２２０への取付位置を変えることで左右位置を調節可能に構成する。
【００１８】
この左右の軸支体２３、２３及び固定具２４、２４によって、図３に示すごとく、六角柱形状の中間軸２５を軸支すると共に、軸支体２３、２３に挟まれた連結フレーム２０の略中央に受動プーリ２６を取り付ける。図３は、耕耘作業部の正面視構成図である。この受動プーリ２６と、推進機体１０の駆動プーリ１７とに無端帯であるベルト２７を巻き回して、エンジン１２の動力を中間軸２５に伝達する。
【００１９】
本実施形態においては中間軸を六角柱形状に形成しているが、中間軸２５は断面非円形であればよく、四角柱などの多角柱形状や楕円形状などでもよい。
また、無端帯として、本実施形態においてはベルトを用いているが、チェーンを用いてもよい。チェーンを用いる場合には、プーリに代えてスプロケットを使用する。
【００２０】
中間軸２５には左右にギアボックス２８、２８を設け、それぞれのギアボックス２８、２８から前下方に伝動軸２９を延出して、この伝動軸２９の先端にロータリー部４を取り付ける。このギアボックス２８は連結フレーム２０の固定具２４に取り付けられる。左右のロータリー部４、４は、耕耘作業部２の旋回によって上下動し、ストッパ３によって旋回角度が規制される。
【００２１】
図４に示すように、ギアボックス２８にはベベルギア２８ａ、２８ｂを配置する。図４は、耕耘作業部への伝動機構を示す構成図である。ベベルギア２８ａと中間軸２５とはスプライン結合し、ベベルギア２８ｂに伝動軸２９を接続する。このベベルギア２８ａは、六角柱形状の中間軸２５の回転により動力を得て、ベベルギア２８ｂを介して伝動軸２９を駆動し、伝動軸２９の先端のロータリー部４に伝動する。
【００２２】
ベベルギア２８ａと中間軸２５とをスプライン結合していることにより、ギアボックス２８は中間軸２５に沿って移動可能に構成され、固定具２４の左右位置を調節することによって、ギアボックス２８が左右に移動し、左右のロータリー部４、４の作業幅が調節可能となっている。
【００２３】
ロータリー部４は、耕耘装置４０と、耕耘深さを調節するための転輪４１を有している。耕耘装置４０は、横向きの耕耘軸４２と、この耕耘軸に取り付けられる複数の耕耘爪４３を備えている。
【００２４】
本実施形態において、中間軸２５から伝動軸２９への伝動にはベベルギアを用いているが、ベベルギア以外の斜交軸歯車を用いて伝動するように構成してもよい。
【００２５】
次に、図５を参照して本発明に係る管理機の作用について説明する。図５は、耕耘作業部を正面から見た作用図である。
【００２６】
図５は、左側の畝溝Ｌに対して右側の畝溝Ｒの方が深くなった状態を示している。左右の畝溝ＬＲの深さが均一な場所では耕耘作業部２は水平位置を維持し（破線図示）ているが、図５に示したごとく左右の畝溝ＬＲの深さが異なる場合、左右の畝溝ＬＲの深さの変化に従って全体が取付け軸１８の回りにローリングし、ロータリー部４の転輪４１が浮き上がることなく畝間を転動して、一定の耕耘深さにより作業を行うことができる。
【００２７】
上記のごとく構成した管理機の効果について説明する。
耕耘作業部２がローリングすることにより、左右の畝溝ＬＲの深さの違いや、畝溝の進行方向の深さの違いの影響を受けずに、一定の耕耘深さで安定して確実な耕耘をすることができる。
【００２８】
また、耕耘作業部２がローリングして傾いても、駆動プーリ１７と受動プーリ２６との間に架け渡されたベルト２７により推進機体１０から耕耘作業部２へ伝動することができる。さらに、ベルト２７の張力によって傾いた耕耘作業部２を水平に戻す方向に力が働くため、左右のロータリー部４、４によりバランスよく耕耘することができる。
【００２９】
また、耕耘作業部２のローリングの傾きを規制するストッパ３を設けたことにより、耕耘作業部２のローリングにより駆動プーリ１７と受動プーリ２６との間に架け渡されたベルト２７が外れてしまうことがない。
【００３０】
また、管理機１は左右の車輪１４、１４とロータリー部４、４の４点で接地しているため、左右にぶれることがなく作業時の安定性に優れ、作業速度を大幅に向上することができる。
【００３１】
また、左右２条を同時に耕耘するため、圃場の往復回数が減って労力を軽減できるうえに、枕地での旋回回数が少なく済むため、作業時間を大幅に削減することができる。
【図面の簡単な説明】
【００３２】
【図１】管理機の側面視構成図
【図２】連結フレームと推進機体との連結部を示す平面視構成図
【図３】耕耘作業部の正面視構成図
【図４】耕耘作業部への伝動を示す構成図
【図５】管理機の作用図
【符号の説明】
【００３３】
１      管理機
１０    推進機体
１１    車体ケース
１２    エンジン
１３    ハンドル
１４    車輪
１５    調節具
１６    回転軸
１７    駆動プーリ
１８    取付け軸
１９    抜止め棒
２      耕耘作業部
２０    連結フレーム
２１    筒部
２２    台部
２２０  ボルト孔
２２１  ボルト
２３    軸支体
２４    固定具
２５    中間軸
２６    受動プーリ
２７    ベルト
２８    ギアボックス
２９    伝動軸
３      ストッパ
４      ロータリー部
４０    カバー
４１    転輪
Ｌ、Ｒ  畝溝
【図１】
2008306984.tif 000003
【図２】
2008306984.tif 000004
【図３】
2008306984.tif 000005
【図４】
2008306984.tif 000006
【図５】
2008306984.tif 000007